(57)【特許請求の範囲】
【請求項１】
複数個の表皮体でボール本体を覆うボールであって、
前記表皮体が、前記ボール本体の表面に対応する表壁部と、前記表壁部の周縁部から前記ボール本体の側に突出した周壁部と、前記表壁部と前記周壁部とで囲まれかつ前記表壁部の裏面に開口した凹部とを備え、
前記複数個の表皮体が前記ボール本体を被覆した場合に、前記凹部が前記ボール本体と前記表皮体とで囲まれた空洞部を構成し、前記空洞部にはクッション部及び空気存在部が共存し、
前記空洞部において前記クッション部が占める体積は前記空気存在部が占める体積より大きく、
前記クッション部の表面が前記空洞部における前記表壁部の側の上面に接触し、前記クッション部の横方向の外周面が前記空洞部の横方向の内周面に接触し、前記クッション部の裏面が前記ボール本体の表面に接触するように、前記クッション部の外形が前記空洞部に収容される形状になっており、
前記クッション部には１個又は複数個の孔が設けられ、前記孔を有する前記クッション部が前記空洞部に収容されると、前記空洞部に前記クッション部が設けられ、前記孔が前記空気存在部を構成し、前記空洞部には前記クッション部及び前記空気存在部が共存し、
前記孔は、前記クッション部の前記表面と前記裏面とにわたって貫通する態様で設けられていることを特徴とするボール。
【請求項２】
複数個の表皮体でボール本体を覆うボールであって、
前記表皮体が、前記ボール本体の表面に対応する表壁部と、前記表壁部の周縁部から前記ボール本体の側に突出した周壁部と、前記表壁部と前記周壁部とで囲まれかつ前記表壁部の裏面に開口した凹部とを備え、
前記複数個の表皮体が前記ボール本体を被覆した場合に、前記凹部が前記ボール本体と前記表皮体とで囲まれた空洞部を構成し、前記空洞部にはクッション部及び空気存在部が共存し、
前記クッション部の表面が前記空洞部における前記表壁部の側の上面に接触し、前記クッション部の裏面が前記ボール本体の表面に接触し、前記クッション部の横方向の外形が前記空洞部の横方向の外形よりも小さい形状であって、
前記クッション部が前記空洞部に収容されると、前記空洞部に前記クッション部が設けられ、前記クッション部の横方向の外周面と前記空洞部の横方向の内周面との間の全周にわたって隙間が形成され、この隙間が前記空気存在部を構成し、前記空洞部には前記クッション部及び前記空気存在部が共存し、
隣接する前記表皮体の前記表壁部が互いに溶着または接着剤で接着されることを特徴とするボール。
【請求項３】
複数個の表皮体でボール本体を覆うボールであって、
前記表皮体が、前記ボール本体の表面に対応する表壁部と、前記表壁部の周縁部から前記ボール本体の側に突出した周壁部と、前記表壁部と前記周壁部とで囲まれかつ前記表壁部の裏面に開口した凹部とを備え、
前記複数個の表皮体が前記ボール本体を被覆した場合に、前記凹部が前記ボール本体と前記表皮体とで囲まれた空洞部を構成し、前記空洞部にはクッション部及び空気存在部が共存し、
前記クッション部の表面が前記空洞部における前記表壁部の側の上面に接触し、前記クッション部の裏面が前記ボール本体の表面に接触し、前記クッション部の横方向の外形が前記空洞部の横方の外形よりも小さい形状になっており、
前記クッション部に１個又は複数個の孔が設けられており、この空洞部の横方向の外形よりも小さい横方向の外形を有しかつ前記孔を有する前記クッション部が前記空洞部に収容されると、前記空洞部に前記クッション部が設けられ、前記クッション部の横方向の外周面と前記空洞部の横方向の内周面との間に隙間が形成され、前記孔と前記隙間とが前記空気存在部を構成し、前記空洞部には前記クッション部及び前記空気存在部が共存し、
前記孔は、前記クッション部の前記表面と前記裏面とにわたって貫通する態様で設けられていることを特徴とするボール。
【請求項４】
複数個の表皮体でボール本体を覆うボールであって、
前記表皮体が、前記ボール本体の表面に対応する表壁部と、前記表壁部の周縁部から前記ボール本体の側に突出した周壁部と、前記表壁部と前記周壁部とで囲まれかつ前記表壁部の裏面に開口した凹部とを備え、
前記複数個の表皮体が前記ボール本体を被覆した場合に、前記凹部が前記ボール本体と前記表皮体とで囲まれた空洞部を構成し、前記空洞部にはクッション部及び空気存在部が共存し、
前記クッション部が複数個であって、この複数個のクッション部の表面が前記空洞部における前記表壁部の側の上面に別々に接触し、前記複数個のクッション部の裏面が前記ボール本体の表面に別々に接触し、前記複数個のクッション部の横方向の外周面が前記空洞部の横方向の内周面から内側に別々に離れ、前記複数個のクッション部同士も別々に離れるように、前記複数個のクッション部が前記空洞部に収容される形状になっており、
前記複数個のクッション部が互いに離れて前記空洞部に収容されると、前記空洞部に前記複数個のクッション部が設けられ、各前記クッション部の横方向の外周面と前記空洞部の横方向の内周面との間に隙間が形成され、各前記クッション部の横方向の外周面同士の間に隙間が形成され、これらの隙間が前記空気存在部を構成し、前記空洞部には前記クッション部及び前記空気存在部が共存することを特徴とするボール。
【請求項５】
前記クッション部が前記ボール本体及び前記表皮体の一方又は両方に接着剤で接着されたことを特徴とする請求項１から４のいずれか一項に記載のボール。
【請求項６】
前記表皮体が樹脂又はゴムからなる軟質素材により前記表壁部と前記周壁部と前記凹部とを備えた形状として一体に形成されたことを特徴とする請求項１から５のいずれか一項に記載のボール。
【発明の詳細な説明】
【技術分野】
【０００１】
本発明は、掴みやすいボールに関する。
【背景技術】
【０００２】
出願人は、特許文献１で開示された掴みやすいボールを提案した。しかしながら、特許文献１で開示されたボールは、ボール本体を複数個の表皮体で覆い、空気又はクッション部をボール本体と各表皮体とで囲まれた空洞部に全体的に満たした構造になっているので、人がボール１を掴んだ時、ボールが掴みやすいものの、その掴みやすさが一様になっている。
【先行技術文献】
【特許文献】
【０００３】
【特許文献１】再表２０１５／０９９１８６号公報
【発明の概要】
【発明が解決しようとする課題】
【０００４】
本発明は、上記背景技術に鑑みてなされたものであり、ボール本体と各表皮体とで囲まれた空洞部に空気存在部とクッション部とを共存させた掴みやすいボールの提供を目的とする。
【課題を解決するための手段】
【０００５】
本発明は、複数個の表皮体でボール本体を覆うボールであって、前記表皮体が前記ボール本体の表面に対応する表壁部と前記表壁部の周縁部から前記ボール本体の側に突出した周壁部と前記表壁部と前記周壁部とで囲まれかつ前記表壁部の裏面に開口した凹部とを備え、前記複数個の表皮体が前記ボール本体を被覆した場合に、前記凹部が前記ボール本体と前記表皮体とで囲まれた空洞部を構成し、前記空洞部にはクッション部及び空気存在部が共存することを特徴とする。【０００６】
本発明に係るボールにおいて、前記クッション部の表面が前記空洞部における前記表壁部の側の上面に接触し、前記クッション部の横方向の外周面が前記空洞部の横方向の内周面に接触し、前記クッション部の裏面が前記ボール本体の表面に接触するように、前記クッション部の外形が前記空洞部に収容される形状になっており、前記クッション部には１個又は複数個の孔及び１個又は複数個の凹部の一方又は両方が設けられ、前記孔及び前記凹部の一方又は両方を有する前記クッション部が前記空洞部に収容されると、前記空洞部に前記クッション部が設けられ、前記孔及び前記凹部の一方又は両方が前記空気存在部を構成し、前記空洞部に前記クッション部及び前記空気存在部を共存させることができる。【０００７】
本発明に係るボールにおいて、前記クッション部の表面が前記空洞部における前記表壁部の側の上面に接触し、前記クッション部の裏面が前記ボール本体の表面に接触し、前記クッション部の横方向の外形が前記空洞部の横方向の外形よりも小さい形状であって、前記クッション部が前記空洞部に収容されると、前記空洞部に前記クッション部が設けられ、前記クッション部の横方向の外周面と前記空洞部の横方向の内周面との間に隙間が形成され、この隙間が前記空気存在部を構成し、前記空洞部に前記クッション部及び前記空気存在部を共存させることができる。【０００８】
本発明に係るボールにおいて、前記クッション部の表面が前記空洞部における前記表壁部の側の上面に接触し、前記クッション部の裏面が前記ボール本体の表面に接触し、前記クッション部の横方向の外形が前記空洞部の横方の外形よりも小さい形状になっており、前記クッション部に１個又は複数個の孔及び１個又は複数個の凹部の一方又は両方が設けられており、この空洞部の横方向の外形よりも小さい横方向の外形を有しかつ前記孔及び凹部の一方又は両方と有する前記クッション部が前記空洞部に収容されると、前記空洞部に前記クッション部が設けられ、前記クッション部の横方向の外周面と前記空洞部の横方向の内周面との間に隙間が形成され、前記孔及び凹部の一方又は両方と前記隙間とが前記空気存在部を構成し、前記空洞部に前記クッション部及び前記空気存在部を共存させることができる。【０００９】
本発明に係るボールにおいて、前記クッション部が複数個であって、この複数個のクッション部の表面が前記空洞部における前記表壁部の側の上面に別々に接触し、前記複数個のクッション部の裏面が前記ボール本体の表面に別々に接触し、前記複数個のクッション部の横方向の外周面が前記空洞部の横方向の内周面から内側に別々に離れ、前記複数個のクッション部同士も別々に離れるように、前記複数個のクッション部が前記空洞部に収容される形状になっており、前記複数個のクッション部が互いに離れて前記空洞部に収容されると、前記空洞部に前記複数個のクッション部が設けられ、各前記クッション部の横方向の外周面と前記空洞部の横方向の内周面との間に隙間が形成され、各前記クッション部の横方向の外周面同士の間に隙間が形成され、これらの隙間が前記空気存在部を構成し、前記空洞部に前記クッション部及び前記空気存在部を共存させることができる。【００１０】
本発明に係るボールにおいて、前記クッション部を前記ボール本体及び前記表皮体の一方又は両方に接着剤で接着させることもできる。【００１１】
本発明に係るボールにおいて、前記表皮体を樹脂又はゴムからなる軟質素材により前記表壁部と前記周壁部と前記凹部とを備えた形状として一体に形成させることもできる。
【発明の効果】
【００１２】
本発明は、空洞部にクッション部及び空気存在部が共存したことによって、人がボールを掴んだ時、クッション部が潰れることで、ボール表面と指の腹部分との接触面積が増加し、人がボールを掴みやすくなるという効果があり、又、クッション部を潰す力としての人の握力がより弱い力となれば、手が疲れないので、ボールを掴み易い状態が長く維持できるという効果もある。本発明において、前記クッション部がボール本体及び表皮体の一方又は両方に接着剤で接着されれば、クッション部の横方向の外形が空洞部の横方向の外形より小さくても、空洞部に対するクッション部の位置がずれることがなく、掴みやすさが保持される。
【図面の簡単な説明】
【００１３】
【図１】発明を実施するための形態１に係るボールの一部を直径方向に切断して示した断面図。
【図２】発明を実施するための形態１に係るクッション部を備えた表皮体の底面図。
【図３】発明を実施するための形態２に係るボールの一部を直径方向に切断して示した断面図。
【図４】発明を実施するための形態２に係るクッション部を備えた表皮体の底面図。
【図５】発明を実施するための形態３に係るボールの一部を直径方向に切断して示した断面図。
【図６】発明を実施するための形態３に係るクッション部を備えた表皮体の底面図。
【図７】発明を実施するための形態４に係るボールの一部を直径方向に切断して示した断面図。
【図８】発明を実施するための形態４に係るクッション部を備えた表皮体の底面図。
【発明を実施するための形態】
【００１４】
図１から図８に示した発明を実施するための形態１から４では、同一の機能を有する部分には同一の符号を付し、重複する説明を省略した。又、図１と図３と図５及び図７において、ボール本体２及び表皮体３は、ボール１の内側に中心を有する弧状に描かれるのが一般的であるが、模式図として平坦な形状として図示した。又、図１と図３と図５及び図７では、実線で示した表皮体３の両側に仮想線で示した表皮体３の一部が隣接した状態を図示した。
【００１５】
図１及び図２を参照し、発明を実施するための形態１に係るボール１について説明する。図１に示したように、ボール１は、ボール本体２が複数個の表皮体３で覆われ、ボール本体２と各表皮体３とで囲まれた空洞部４がボール本体２と各表皮体３との間に形成され、各空洞部４にクッション部５及び空気存在部６が共存したことによって、人がボール１を掴んだ時、各表皮体３が凹みやすく、人がボール１を掴みやすくなる構造になっている。つまり、人がボール１を掴んだ時、クッション部５が潰れることで、ボール１の表面と指の腹部分との接触面積が増加し、人がボール１を掴みやすくなり、又、クッション部５を潰す力としての人の握力がより弱い力となれば、手が疲れないので、ボール１を掴み易い状態が長く維持できる。空洞部４にクッション部５及び空気存在部６が共存し、空洞部４に空気存在部６が設けられることで、人がボールを掴んだ時におけるクッション部５の変形の圧力上昇を緩和し、より弱い力で掴み易い状態が維持できる。
【００１６】
これに対し、空洞部４にクッション部５及び空気存在部６が共存しないように、空洞部４の全体にクッション部５を充填した構造では、人がボールを掴んで空洞部４及びクッション部５を指で潰すと、空洞部４が狭くなり、クッション部５の変形で空洞部４内の圧力が上昇し、空洞部４を潰せば潰すほど空洞部４は狭くなり、クッション部５の変形の圧力上昇で表壁部３１と周壁部３２との変形が抑制され、掴み易さが実感できなくなる。
【００１７】
ボール本体２は、球体又は楕円体又はそれに類似した形状、球体以外にも切頂二十面体のように平面部を設けた球体又は楕円体又はそれに類似した形状、ボール本体２の表面に糸の巻き付けられた構造、ボール本体２の表面に糸の巻き付けられていない構造、ボール本体２の内部が空気の出し入れの可能で膨張可能な中空な構造、ボール本体２の内部に空気の出し入れ不可能な中空な構造、ボール本体２の内部がクッション材で埋まった中空でない構造のいずれでも適用可能である。
【００１８】
表皮体３は、樹脂又はゴムからなる軟質素材を射出成形又はプレス成形又は真空成形又はブロー成形等の型に注入した成形により、表壁部３１と周壁部３２と凹部３３とを備えた形状として一体に形成された構造になっている。表皮体３としては、表壁部３１と周壁部３２と凹部３３とを備えた形状として一体に形成された構造でなくても適用可能である。
【００１９】
表壁部３１は、ボール本体２の外側面に対向する壁を構成する。周壁部３２は、表壁部３１の各周縁部からボール本体２の側に突出し、表壁部３１の周縁部を一周する環状になっている。よって、表壁部３１の裏面には、凹部３３が表壁部３１と周壁部３２とで囲まれる表壁部３１の裏面に開口した形状に形成される。
【００２０】
尚、表壁部３１の外側面たる表面に、滑りにくいような皺又はディンプル又はローレット等の凹凸又は滑りにくい材料からなる被膜を設けても同様に適用可能である。前記滑りにくい材料からなる被膜を設けた構造にあっては、表皮体３の成形時に被膜を表壁部３１の表面に設けた構成でもよく、成形された表皮体３の表壁部３１の表面に被膜を接着した構成でもよい。
【００２１】
複数個の表皮体３がボール本体２に取り付けられボール本体２を被覆した場合に、凹部３３がボール本体２と表皮体３とで囲まれかつボール本体２と表壁部３１とを互いに分離する空洞部４を構成する。つまり、複数個の表皮体３がボール本体２を被覆した場合において、空洞部４はボール本体２と表皮体３の表壁部３１と周壁部３２とで囲まれてボール本体２と表壁部３１とを互いに分離する構造になっている。
【００２２】
複数個の表皮体３がボール本体２に取り付けられる場合、隣接する表皮体３の周壁部３２が互いに溶着又は接着剤で接着されると、水や汗等の水分が複数個の表皮体３の境からボール本体２の側に染み込むことがなく、複数個の表皮体３同士の結合強度が向上する。
【００２３】
又、複数個の表皮体３がボール本体２に取り付けられる場合、周壁部３２のボール本体２の側の端面３４がボール本体２の表面に溶着又は接着剤で接着されると、ボール本体２に対する複数個の表皮体３の位置はずれない。
【００２４】
又、複数個の表皮体３がボール本体２に取り付けられた場合、隣接する表壁部３１がボール本体２の表面より離れて配置され、凹部３３がボール本体２と表皮体３との間にボール本体２と表壁部３１と周壁部３２とで囲まれた空洞部４を構成する。クッション部５は、発泡樹脂又は不織布又はゴム又はエラストマー等の緩衝材により構成される。
【００２５】
図１及び図２に示したように、クッション部５の表面が空洞部４における表壁部３１の側の上面に接触し、クッション部５の横方向の外周面が空洞部４の横方向の内周面に接触し、クッション部５の裏面がボール本体２の表面に接触するように、クッション部５の外形が空洞部４に収容される形状になっている。
【００２６】
図１に戻り、クッション部５が空洞部４に収容されるよりも以前の構造において、クッション部５には、１個又は複数個の孔５１が表壁部３１の側とボール本体２との側に貫通する形状に設けられ、多数個の空気含有部５２が設けられる。１個又は複数個の孔５１に替えて図示のされていない１個又は複数個の凹部が設けられるか、又は、１個又は複数個の孔５１と図示のされていない１個又は複数個の凹部とが混在してもよい。前記図示のされていない１個又は複数個の凹部は、表壁部３１の側に開口し、表壁部３１の側からクッション部５の内部に窪む形状、又は、ボール本体２の側に開口し、ボール本体２の側からクッション部５の内部に窪む形状のいずれでもよい。
【００２７】
前記のように孔５１又は図示のされていない凹部を有するクッション部５が空洞部４に収容されることによって、空洞部４にクッション部５及び空気存在部６が設けられた構造になる。具体的には、孔５１又は図示のされていない凹部を有するクッション部５が空洞部４に収容されると、空洞部４にクッション部５が設けられ、孔５１又は図示のされていない凹部が空気存在部６を構成し、空洞部４にはクッション部５と空気存在部６とが共存した構造になる。空気存在部６は、孔５１又は凹部に空気が存在することを意味する部分である。
【００２８】
孔５１又は図示のされていない凹部を有するクッション部５が空洞部４に収容されることによって、クッション部５の表面が空洞部４における表壁部３１の側の上面に接触し、クッション部５の横方向の外周面が空洞部４の横方向の内周面に接触し、クッション部５の裏面がボール本体２の表面に接触するので、クッション部５がボール本体２及び表皮体３の一方又は両方に接着剤で接着されなくても、空洞部４に対するクッション部５の位置はずれないが、クッション部５がボール本体２及び表皮体３の一方又は両方に接着剤で接着されれば、接着強度が強くなる。
【００２９】
図３及び図４を参照し、発明を実施するための形態２に係るボール１について説明する。図３に示したように、ボール１は、ボール本体２が複数個の表皮体３で覆われ、ボール本体２と各表皮体３とで囲まれた空洞部４がボール本体２と各表皮体３との間に形成され、各空洞部４にクッション部５及び空気存在部７が共存したことによって、人がボール１を掴んだ時、各表皮体３が凹みやすく、人がボール１を掴みやすくなる構造になっている。つまり、人がボール１を掴んだ時、クッション部５が潰れることで、ボール１の表面と指の腹部分との接触面積が増加し、人がボール１を掴みやすくなり、又、クッション部５を潰す力としての人の握力がより弱い力となれば、手が疲れないので、ボール１を掴み易い状態が長く維持できる。
【００３０】
図３及び図４に示したように、クッション部５の表面が空洞部４における表壁部３１の側の上面に接触し、クッション部５の裏面がボール本体２の表面に接触し、クッション部５の横方向の外周面が空洞部４の横方向の内周面から内側に離れるように、クッション部５外形が空洞部４に収容される形状になっている。具体的には、クッション部５の横方向の外形が空洞部４の横方向の外形よりも小さい形状であって、クッション部５が空洞部４に収容された場合に、クッション部５の横方向の外周面と空洞部４の横方向の内周面との間に隙間８が形成されるようになっている。クッション部５が空洞部４に収容された場合に、クッション部５がボール本体２及び表皮体３の一方又は両方に接着剤で接着されて、空洞部４に対するクッション部５の位置がずれることがなく、掴みやすさが保持されるようになっている。
【００３１】
図３に戻り、クッション部５が空洞部４に収容されるよりも以前の構造において、クッション部５には、多数個の空気含有部５２が設けられる。
【００３２】
前記のように空洞部４の横方向の外形よりも小さい横方向の外形を有しかつ空気含有部５２を有するクッション部５が空洞部４に収容されることによって、クッション部５の横方向の外周面と空洞部４の横方向の内周面との間に隙間８が形成され、空洞部４にクッション部５及び空気存在部７が設けられた構造になる。具体的には、空洞部４の横方向の外形よりも小さい横方向の外形を有するクッション部５が空洞部４に収容されると、空洞部４にクッション部５が設けられ、隙間８が空気存在部７を構成し、空洞部４にはクッション部５と空気存在部７とが共存した構造になる。空気存在部７は、隙間８に空気が存在することを意味する部分である。
【００３３】
クッション部５が空洞部４に収容された場合に、クッション部５がボール本体２及び表皮体３の一方又は両方に接着剤で接着されて、空洞部４に対するクッション部５の位置がずれることがなく、掴みやすさが保持されるようになっている。
【００３４】
図５及び図６を参照し、発明を実施するための形態３に係るボール１について説明する。図５に示したように、ボール１は、ボール本体２が複数個の表皮体３で覆われ、ボール本体２と各表皮体３とで囲まれた空洞部４がボール本体２と各表皮体３との間に形成され、各空洞部４にクッション部５と空気存在部６及び７とが共存したことによって、人がボール１を掴んだ時、各表皮体３が凹みやすく、人がボール１を掴みやすくなる構造になっている。つまり、人がボール１を掴んだ時、クッション部５が潰れることで、ボール１の表面と指の腹部分との接触面積が増加し、人がボール１を掴みやすくなり、又、クッション部５を潰す力としての人の握力がより弱い力となれば、手が疲れないので、ボール１を掴み易い状態が長く維持できる。又、空気存在部６及び７が空洞部４の中央部と周辺部とに配置されたことによって、人がボールを掴んだ時のクッション部５の変形の圧力上昇が良好に抑制される。
【００３５】
図５及び図６に示したように、クッション部５の表面が空洞部４における表壁部３１の側の上面に接触し、クッション部５の裏面がボール本体２の表面に接触し、クッション部５の横方向の外周面が空洞部４の横方向の内周面から内側に離れるように、クッション部５外形が空洞部４に収容される形状になっている。具体的には、クッション部５の横方向の外形が空洞部４の横方向の外形よりも小さい形状であって、クッション部５が空洞部４に収容された場合に、クッション部５の横方向の外周面と空洞部４の横方向の内周面との間に隙間８が形成されるようになっている。
【００３６】
又、クッション部５が空洞部４に収容されるよりも以前の構造において、クッション部５に１個又は複数個の孔５１が表壁部３１の側とボール本体２との側に貫通する形状に設けられる。又、クッション部５には、多数個の空気含有部５２が設けられる。１個又は複数個の孔５１に替えて図示のされていない１個又は複数個の凹部が設けられるか、又は、１個又は複数個の孔５１と図示のされていない１個又は複数個の凹部とが混在してもよい。
【００３７】
よって、空洞部４の横方向の外形よりも小さい横方向の外形を有しかつ孔５１又は図示のされていない凹部を有しさらに空気含有部５２を有するクッション部５が空洞部４に収容されると、空洞部４にクッション部５が設けられ、孔５１又は図示のされていない凹部が空気存在部６を構成し、隙間８が空気存在部７を構成し、空洞部４にはクッション部５と空気存在部６及び７とが共存した構造になる。
【００３８】
クッション部５が空洞部４に収容された場合に、クッション部５がボール本体２及び表皮体３の一方又は両方に接着剤で接着されて、空洞部４に対するクッション部５の位置がずれることがなく、掴みやすさが保持されるようになっている。
【００３９】
図７及び図８を参照し、発明を実施するための形態４に係るボール１について説明する。図７に示したように、ボール１は、ボール本体２が複数個の表皮体３で覆われ、ボール本体２と各表皮体３とで囲まれた空洞部４がボール本体２と各表皮体３との間に形成され、各空洞部４に複数個のクッション部５と空気存在部９とが共存したことによって、人がボール１を掴んだ時、各表皮体３が凹みやすく、人がボール１を掴みやすくなる構造になっている。つまり、人がボール１を掴んだ時、クッション部５が潰れることで、ボール１の表面と指の腹部分との接触面積が増加し、人がボール１を掴みやすくなり、又、クッション部５を潰す力としての人の握力がより弱い力となれば、手が疲れないので、ボール１を掴み易い状態が長く維持できる。
【００４０】
図７及び図８に示したように、複数個のクッション部５の表面が空洞部４における表壁部３１の側の上面に別々に接触し、複数個のクッション部５の裏面がボール本体２の表面に別々に接触し、複数個のクッション部５の横方向の外周面が空洞部４の横方向の内周面から内側に別々に離れ、複数個のクッション部５同士も別々に離れるように、複数個のクッション部５が空洞部４に収容される形状になっている。つまり、複数個のクッション部５は横方向の外形が空洞部４の横方向の外形よりも小さい柱状であって、複数個のクッション部５が互いに離れて空洞部４に収容された場合に、各クッション部５の横方向の外周面と空洞部４の横方向の内周面との間に隙間１０が形成され、各クッション部５の横方向の外周面同士の間に隙間１１が形成されようになっている。
【００４１】
前記のように、空洞部４の横方向の外形よりも小さい横方向の外形を有しかつ空気含有部５２を有する複数個のクッション部５が互いに離れて空洞部４に収容されると、空洞部４に複数個のクッション部５が設けられ、複数個のクッション部５の外周面と凹部３３の内周面との間に形成された隙間１０並びに複数個のクッション部５の外周面同士の間に形成された隙間１１が空気存在部９を構成し、空洞部４には複数個のクッション部５と空気存在部９とが共存した構造になる。
【００４２】
複数個のクッション部５が空洞部４に収容された場合に、複数個のクッション部５がボール本体２及び表皮体３の一方又は両方に接着剤で接着されて、空洞部４に対する複数個のクッション部５の位置がずれることがなく、掴みやすさが保持されるようになっている。
【００４３】
図１と図３と図５及び図７では図示を省略したが、複数個の表皮体３の表側に、表壁部３１と周壁部３２との稜角を斜面又は曲面になるように除去した面取り部が形成されると、隣接する表皮体３同士の境目に面取り部に基づく谷部が形成され、谷部に手がかかり、ボール１が握りやすくなる。又、谷部により、ボール１の外観を手縫い調にすることも可能である。尚、面取り部が表皮体３の裏面と交わる部分まで延長された構成でも適用可能である。図１と図３と図５及び図７では周壁部３２の裏面がボール本体２の表面に接触又は接着された構造を図示したが、クッション部５の表裏方向の厚みが空洞部４の表裏方向の深さより厚く、クッション部５が表壁部３１の裏面とボール本体２の表面とに接着され、周壁部３２の裏面とボール本体２の表面との間に隙間が形成され、周壁部３２がボール本体２から離れた構成でも適用可能である。
【符号の説明】
【００４４】
１    ボール
２    ボール本体
３    表皮体
４    空洞部
５    クッション部
６    空気存在部
７    空気存在部
８    隙間
９    空気存在部
１０  隙間
１１  隙間
３１  表壁部
３２  周壁部
３３  凹部
３４  端面
５１  孔
５２  空気含有部
【要約】
ボール本体２が、樹脂又はゴムからなる軟質素材により表壁部３１と周壁部３２と凹部３３とを備えた形状として一体に形成された複数個の表皮体３で覆われ、凹部３３がボール本体２と表皮体３とで囲まれかつボール本体２と表壁部３１とを互いに分離する空洞部４をボール本体２と各表皮体３との間に構成し、各空洞部４にクッション部５及び空気存在部６が共存することによって、人がボール１を掴んだ時、クッション部５が潰れることで、ボール１の表面と指の腹部分との接触面積が増加し、人がボール１を掴みやすくなり、又、クッション部５を潰す力としての人の握力がより弱い力となれば、手が疲れないので、ボール１を掴み易い状態が長く維持できる。
【選択図】図１【図１】
0006433625.tif 000002
【図２】
0006433625.tif 000003
【図３】
0006433625.tif 000004
【図４】
0006433625.tif 000005
【図５】
0006433625.tif 000006
【図６】
0006433625.tif 000007
【図７】
0006433625.tif 000008
【図８】
0006433625.tif 000009